(57)【特許請求の範囲】
【請求項１】
包装材を連行するための移動体と、
前記移動体によって連行される包装材に張力を与える張力提供手段と、
該移動体を案内する環状案内体と、
該環状案内体に沿って前記移動体を移動させるための移動体駆動手段と、
該環状案内体の外に配置された包装材供給手段と、
該包装材供給手段から供給される包装材の先端を一時的に保持する、該環状案内体の中に位置するフィルムクランプ機構９２と、
前記包装材供給手段から供給される包装材を切断するための第１ヒートカッター１５及び第２ヒートカッター１８を備える包装材切断装置と、
を有し、
前記移動体が、連結リンクによって互いに連結された複数のフィルムローラを備えるフィルムローラチェーンからなり、
前記張力提供手段は、ガイドトラックの下方に配置された下方テンション装置７０，７１と、ガイドトラック３１の上方に配置された上方テンション装置７２とを有し、
前記環状案内体が、前記フィルムローラチェーンを案内支持するガイドトラックからなり、
前記フィルムクランプ機構９２によって一時的に保持された包装材の先端をフィルムローラの間を通し、
フィルムローラチェーン駆動装置５０によって前記フィルムローラチェーン３２を駆動させ、
包装材の先端を前記フィルムローラ３３Ａで押しながら、
前記ガイドトラックの中央垂直平面Ｐを中心に分離して受け入れた鋼板ロールＳの中空部ＨＳを通過させ、
前記下方テンション装置７０，７１及び前記上方テンション装置７２の無端テンションベルトを前記フィルムローラチェーン３２の回転方向と反対方向に回し前記包装材に張力を付与し、
これを繰り返すことによって鋼板ロールＳを包装することを特徴とする包装装置。
【請求項２】
前記移動体駆動手段が、前記フィルムローラチェーンを前記ガイドトラックに対して移動させる駆動ベルトである、請求項１に記載の包装装置。
【請求項３】
前記張力提供手段が、前記環状案内体における前記移動体の移動方向と反対方向にエアーモータによって駆動されるテンションベルトを有し、前記エアーモータと該エアーモータの圧縮空気源との間に、前記包装材に張力を与える必要がないときに前記圧縮空気源からの圧縮空気を解放するリリーフ弁が設けられている、請求項１又は２に記載の包装装置。
【発明の詳細な説明】
【０００１】
【技術分野】
本発明は、一般的には包装材で被包装物を包装するための包装装置に関し、特に、ロール状鋼板に延伸性フィルムを巻くための包装装置に関する。
【背景技術】
【０００２】
環状の包装対象物、例えば、金属帯状体のコイルを包装するための装置として、特開平５−２９４３１４号公報に開示された包装装置が知られている。
この包装装置では、２本のビームと、これらのビームに対して開閉可能なゲート部とからなるループ体を有し、シャットルがこのループ体の内周面に沿って周回可能に配置されている。シャットルは、電気モータによる自走式であり、内部にロール巻きの包装材を収容している。
かかる装置の作動にあたっては、ループ体のゲート部を開いて、包装すべき帯鋼コイルの穴をループ体のビームが貫通するように、帯鋼コイルをループ体にセットし、ゲート部を閉める。次いで、シャットル内部から包装材を引っ張り出し、その先端を帯鋼コイルにとめる。その後、帯鋼コイルを回転させながら、シャットルをループ体に沿って移動させることによつて、シャットル内部からの包装材を帯鋼コイルに巻き付けることができる。
しかしながら、上記従来技術の包装装置では、限られた空間であるループ体の内部空間を周回しなければならないことに加えて、更に限定された空間である帯鋼コイルの中空内部を通過しなければならないシャットルの内部に包装材を収容する構成としたため、かかるシャットルの内部に収容することができる包装材の量は極めて限られたものにならざるを得ない。
【発明が解決しようとする課題】
【０００３】
従って、上記従来技術の包装装置では、シャットル内部の包装材の補充を頻繁に行わなければならないという欠点がある。また、包装材がシャットル内部に収容されているため、その包装材補充作業も複雑になる。
本発明は、上述した従来技術の問題点を解決するためになされたものであり、環状案内体に沿って移動する移動体とは別個の包装材供給手段によって包装材を供給する包装装置を提供することを目的とする。
【発明の開示】
【０００４】
上記課題を解決するために、本発明の請求項１の包装装置は、
包装材を連行するための移動体と、
前記移動体によって連行される包装材に張力を与える張力提供手段と、
該移動体を案内する環状案内体と、
該環状案内体に沿って前記移動体を移動させるための移動体駆動手段と、
該環状案内体の外に配置された包装材供給手段と、
該包装材供給手段から供給される包装材の先端を一時的に保持する、該環状案内体の中に位置するフィルムクランプ機構９２と、
前記包装材供給手段から供給される包装材を切断するための第１ヒートカッター１５及び第２ヒートカッター１８を備える包装材切断装置と、
を有し、
前記移動体が、連結リンクによって互いに連結された複数のフィルムローラを備えるフィルムローラチェーンからなり、
前記張力提供手段は、ガイドトラックの下方に配置された下方テンション装置７０，７１と、ガイドトラック３１の上方に配置された上方テンション装置７２とを有し、
前記環状案内体が、前記フィルムローラチェーンを案内支持するガイドトラックからなり、
前記フィルムクランプ機構９２によって一時的に保持された包装材の先端をフィルムローラの間を通し、
フィルムローラチェーン駆動装置５０によって前記フィルムローラチェーン３２を駆動させ、
包装材の先端を前記フィルムローラ３３Ａで押しながら、
前記ガイドトラックの中央垂直平面Ｐを中心に分離して受け入れた鋼板ロールＳの中空部ＨＳを通過させ、
前記下方テンション装置７０，７１及び前記上方テンション装置７２の無端テンションベルトを前記フィルムローラチェーン３２の回転方向と反対方向に回し前記包装材に張力を付与し、
これを繰り返すことによって鋼板ロールＳを包装することを特徴とする。
請求項２の包装装置は、請求項１において、前記移動体駆動手段が、前記フィルムローラチェーンを前記ガイドトラックに対して移動させる駆動ベルトであることを特徴とする。
請求項３の包装装置は、請求項１又は２において、
前記張力提供手段が、前記環状案内体における前記移動体の移動方向と反対方向にエアーモータによって駆動されるテンションベルトを有し、前記エアーモータと該エアーモータの圧縮空気源との間に、前記包装材に張力を与える必要がないときに前記圧縮空気源からの圧縮空気を解放するリリーフ弁が設けられていることを特徴とする。
【０００５】
上記構成の包装装置によれば、被包装物を環状案内体の内部空間内に配置し、包装材供給手段からの包装材を被包装物につけた状態で、移動体を移動体駆動手段によって環状案内体に沿って移動させると、移動体が被包装物と包装材供給手段との間に延びる包装材を連行しつつ被包装物の周囲を移動することによって、被包装物を包装材で包装することができる。
上記構成の包装装置では、包装材供給手段と移動体とを別個とし、移動体それ自体に包装材供給源を備えないことにすると共に、包装材供給手段を環状案内体の外に配置する構成としたので、環状案内体の外に配置した包装材供給手段の包装材供給源を大きくした場合であっても、これが原因で、環状案内体に沿って移動する移動体が、環状案内体の内部空間内に配置される被包装物と干渉することはなくなる。換言すると、移動体を環状案内体の内部空間内の被包装物と干渉させることなしに、大量の包装材を包装材供給手段に備えることができる。
【０００６】
また、本発明においては、前記移動体駆動手段が、前記フィルムローラチェーンを前記ガイドトラックに対して移動させる駆動ベルトであるのが好ましい。
更にまた、前記張力提供手段が、前記環状案内体における前記移動体の移動方向と反対方向にエアーモータによって駆動されるテンションベルトを有し、前記エアーモータと該エアーモータの圧縮空気源との間に、前記包装材に張力を与える必要がないときに前記圧縮空気源からの圧縮空気を解放するリリーフ弁が設けられているのが好ましい。
【発明を実施するための最良の形態】
【０００７】
以下、添付図面を参照して本発明の一実施例について説明する。この実施例は、本発明を、ロール状に巻かれた鋼板を包装するための包装装置に適用したものである。図１に概略的に示されるように、参照番号１で全体的に示される包装装置が、包装材供給装置１０と、該包装材供給装置１０からの包装材をロール状に巻かれた鋼板ロールＳに巻き付けるための巻き付け装置３０と、該巻き付け装置３０のフィルムローラチェーン３２をガイドトラック３１に沿って移動させるためのフィルムローラチェーン駆動装置５０と、フィルムローラチェーン３２によって鋼板Ｓに巻き付けられる包装材のたるみをとるためのテンション装置とを有する。
【０００８】
巻き付け装置３０は、移動体を案内する環状案内体又は一対の間隔を隔てたガイドトラック３１を有し、図２で良くわかるように、各ガイドトラック３１は、他方のガイドトラックに向かって開口する断面Ｃ字形状を有し、対向する上壁、下壁と、これらを連結する側壁とによって構成される。各ガイドトラック３１は、全体的に環形態又はループ形態をなし、図１で見たとき、すなわち、包装装置１の正面から見たときに、全体的に楕円形であり、この楕円形ガイドトラック３１は、上下の平行な直線セクションと、左右の円弧セクションとからなる。
【０００９】
上記ガイドトラック３１には、包装材を連行するための移動体又はフィルムローラチェーン３２が移動自在に案内されるようになっている。
フィルムローラチェーン３２は、複数のフィルムローラ３３と、隣接したフィルムローラ３３を連結する連結リンク３４とを有する。図２で良くわかるように、ローラシャフト３６が各フィルムローラ３３で軸受けされ、フィルムローラ３３から連結リンク３４を貫通して延びるローラシャフト３６の各端部にはガイドローラ３７が回転自在に取り付けられる。各フィルムローラ３５のガイドローラ３７は、夫々、対向するガイドトラック３１に配置される。従って、フィルムローラチェーン３２は、ガイドローラ３７がガイドトラック３１を移動することによって、ガイドトラック３１に沿って移動することができる。
対向位置されているガイドトラック３１同士は、一対の連結支持プレート３８によって連結される。各連結支持プレート３８は、コの字状断面を有し、対向する一対の側板と、これらの側板を連結する連結板とを備える。各ガイドトラック３１は、その各円弧セクションにおいて側壁に連結支持プレート３８の側板が取り付けられ、連結支持プレート３８の側板間に延びる連結板を介して、対向するガイドトラック３１同士が連結されている。
連結されたガイドトラック３１は、その中央垂直平面Ｐを中心に分離され、２つのガイドトラック半部３９、４０を構成するようになっている。
【００１０】
各連結支持プレート３８の各側板の上部外面には一対（すなわち、合計８個）のブラケットが取り付けられ、各ブラケットにはガイドスライダ４１が取り付けられる。ガイドトラック３１（各ガイドトラック半部３９、４０）は、各連結支持プレート３８のガイドスライダ４１を介して、一対のガイド支持フレーム４２で支持される。各ガイド支持フレーム４２は、ガイドトラック３１の長手方向に延び、垂直フレームＶＦ間に延びるクロスフレームＣＦによって支持されている。各ガイド支持フレーム４２の頂端部には突状のガイドレール４３が形成され、このガイドレール４３にガイドスライダ４１の底部に形成されたガイド溝が摺動自在に案内支持される。
【００１１】
ガイドトラック分離駆動装置、すなわち、一対の油圧シリンダ機構４４がガイドトラック半部３９、４０に隣接して設けられる。各油圧シリンダ機構４４は、ガイド支持フレーム４２に沿って延びるようにブラケットを介してガイド支持フレーム４２に固定されたシリンダ４５と、該シリンダ４５内を移動するピストンロッド４６とを有する。ピストンロッド４６の遠位端は、連結支持プレート３８の連結板外面に取り付けられた連結部材４７に固定される。
従って、各油圧シリンダ機構４４のピストンロッド４６がシリンダ４５から突出するように移動されたときには、各ピストンロッド４６は、連結部材４７を介してガイドトラック半部３９、４０を互いに遠ざけるように付勢する。付勢されたガイドトラック半部３９、４０は、ガイドスライダ４１を介してガイドレール４３に沿って移動し、これにより、ガイドトラック半部３９、４０間に、被包装物たる鋼板ロールＳを受け入れるための隙間を提供する。包装中などガイドトラック半部３９、４０同士を連結させておく必要があるときには、油圧シリンダ機構４４のピストンロッド４６をシリンダ４５に引っ込めるように付勢しても良いし、或いは、ガイドトラック半部３９、４０の対向する端部同士を機械的に取り外し自在に係止しても良い。
【００１２】
環状案内体に沿って移動体を移動させるための移動体駆動手段、すなわち、巻き付け装置３０のフィルムローラチェーン３２をガイドトラック３１に沿って移動させるためのフィルムローラチェーン駆動装置５０が、ガイドトラック３１の上方に配置される。
図３で良くわかるように、フィルムローラチェーン駆動装置５０の下方に位置するガイドトラック３１の部分は、下壁及び側壁のみによって構成され、上壁が切除されている。従って、ガイドトラック３１のこの切除部分において、ガイドトラック３１に案内されるガイドローラ３７は露出されることになる。図４で良くわかるように、切除部分のガイドトラック３１の側壁に隣接して一対の支持プレート５１、５２が前記ガイド支持フレーム４２に固定される。これらの支持プレート５１、５２間には一対の間隔を隔てた回転シャフト５３、５４が延びている。回転シャフト５３、５４は支持プレート５１、５２で回転自在に支持され、一方の回転シャフト５３は一方の支持プレート５１を貫通してプーリー取付部を形成する。
【００１３】
各回転シャフト５３、５４には、各ガイドトラック３１の切除部分において露出するガイドローラ３７と整合する位置に、プーリー５５、５６が取り付けられる。同じガイドトラック３１上に位置する各対のプーリー５５、５６には、ガイドトラック３１の切除部分において露出するガイドローラ３７と摩擦係合するように、歯付き無端駆動ベルト５７が掛け回されている。各対のプーリー５５、５６にはまた複数のローラーが設けられている。
前述した回転シャフト５３のプーリー取付部には第２プーリー５８が取り付けられ、この第２プーリー５８の上方に、モーターＭの出力軸に取り付けられた第３プーリー５９が配置され、第２プーリー５８と第３プーリー５９とに無端伝達ベルト６０が掛け回される。
従って、モーターＭが作動してその出力軸が回転すると、第３プーリー５９、無端伝達ベルト６０、第２プーリー５８を介して、回転シャフト５３のプーリー５５が回転される。プーリー５５の回転により、これと回転シャフト５４のプーリー５６とに掛け回された無端駆動ベルト５７が回り、これにより、ガイドトラック３１の切除部分において露出するガイドローラ３７と摩擦係合している無端駆動ベルト５７は、露出するガイドローラ３７をガイドトラック３１に沿って連行し、フィルムローラチェーン３２全体をガイドトラック３１に沿って移動させる。
【００１４】
包装材供給手段又は包装材供給装置１０が、巻き付け装置３０の外側に配置される。包装材供給装置１０は、包装材、すなわち、延伸性フィルムＦをロール状に巻いたフィルムロールを回転自在に支持するフィルム供給水平シャフト１１をガイドトラック半部３９の側方に有する。フィルム供給シャフト１１の上方には、延伸性フィルムＦを延伸させるための複数のローラを備える予伸長装置（パワーストレッチ）１２が設けられている。予伸長装置１２の更に上方には偏向ローラ１３が回転自在に支持され、この偏向ローラ１３とガイドトラック半部３９との間には一対のガイドローラー１４が配置されている。各ガイドローラー１４は、ガイドローラ１４間から供給されるフィルムＦの高さ位置を調節することができるように、油圧シリンダ機構のピストンロッドの自由端に回転自在に取り付けられている。フィルム供給水平シャフト１１もまた垂直方向に変位させることができるようになっている。
【００１５】
上記包装材供給装置１０の各構成要素は、ガイドトラック半部３９の側方移動時に、かかるガイドトラック半部３９と干渉しないように、図示しないブラケットその他の取付部材を介して、ガイドトラック半部３９の連結支持プレート３８に取り付けられ、ガイドトラック半部３９と共に移動されるようになっている。
包装材供給装置１０はまた、ガイドトラック３１の外に配置された包装材供給装置１０のガイドローラー１４からのフィルムＦを、楕円形のガイドトラック３１によって構成される内部空間ＩＳ内に搬送するためのフィルムチャック機構を有する。このフィルムチャック機構は、ガイドローラー１４から突出するフィルムＦを上下方向から挟むフィルムチャックと、該フィルムチャックをガイドトラック３１の内部空間ＩＳに出し入れするためのフィルムチャック駆動装置（図示せず）とを有する。
【００１６】
包装装置１はまた、包装材供給装置１０から供給されるフィルムＦを切断するための包装材切断装置、すなわち、第１ヒートカッター１５と、第２ヒートカッター１８とを有する。
第１ヒートカッター１５は、包装材供給装置１０のガイドローラー１４とガイドトラック３１との間に配置され、ヒーター線１６と、該ヒーター線を垂直方向に駆動するための油圧シリンダ機構１７とを備える。
第２ヒートカッター１８は、ガイドトラック３１の内部空間ＩＳ内に延びるフィルムＦを切断するのに使用される。図４で良くわかるように、第２ヒートカッター１８は、油圧シリンダ機構４４が配置されているのとは反対側でガイド支持フレーム４２に取り付けられた油圧シリンダ機構１９を有する。油圧シリンダ機構１９は、ガイド支持フレーム４２に固定されたシリンダ２０と、該シリンダ２０内を移動するピストンロッド２１とを有する。ピストンロッド２１の遠位端にはブラケット２２が取り付けられ、このブラケット２２は、ガイド支持フレーム４２に形成されたガイドトラックによって案内支持され、ピストンロッド２１の伸縮に従ってガイドトラックに沿って摺動する。
【００１７】
図５で良くわかるように、ブラケット２２には第１昇降油圧シリンダ機構２３が取り付けられ、この第１昇降油圧シリンダ機構２３のピストンロッド先端部には逆Ｌ字形ブラケット２４が固定されている。ブラケット２４の下方アームには、ヒーター線２５及び回転ブラシ２６を備えたアーム部材２７の上方端部が枢着されている。ブラケット２４の上方アームには、第１スイング油圧シリンダ機構２８の上方端部が枢着され、第１スイング油圧シリンダ機構２８の下方端部はアーム部材２７の突出端部２９に枢着されている。
アーム部材２７は、第１スイング油圧シリンダ機構２８の作動によって、フィルムＦを切断する必要がないときには、アーム部材２７、ヒーター線２５及び回転ブラシ２６がフィルムローラチェーン３２の幅方向空間の外にある退避位置に回動され、フィルムＦを切断するときには、ヒーター線２５（回転ブラシ２６）がフィルムローラ３３の幅に亘って延びる切断位置に回動される。
【００１８】
図６で良くわかるように、上記第２ヒートカッター１８のブラケット２２には第２昇降油圧シリンダ機構９０が取り付けられ、この第２昇降油圧シリンダ機構９０のピストンロッド先端部は、全体的にＦ字形のブラケット９１の上方アームに固定されている。ブラケット９１の下方アームには、フィルムクランプ機構９２の上方端部が枢着され、ブラケット９１の中間アームには第２スイング油圧シリンダ機構９３の上方端部が枢着され、第２スイング油圧シリンダ機構９３の下方端部はフィルムクランプ機構９２に枢着されている。フィルムクランプ機構９２は、固定クランプ部材９４と、可動クランプ部材９５と、該可動クランプ部材９５を固定クランプ部材９４に対して移動させるためのクランプ駆動用油圧シリンダ機構９６とを有し、クランプ駆動用油圧シリンダ機構９６のピストンロッド先端部は可動クランプ部材９５に固定されている。
【００１９】
フィルムクランプ機構９２は、第２スイング油圧シリンダ機構９３の作動によって、フィルムＦをクランプする必要がないときには、フィルムクランプ機構９２がフィルムローラチェーン３２の幅方向空間の外にある退避位置に回動され、フィルムＦをクランプするときには、固定クランプ部材９４及び可動クランプ部材９５がフィルムローラ３３の幅に亘って延びるクランプ位置に回動される。かかるクランプ位置において、可動クランプ部材９５は、クランプ駆動用油圧シリンダ機構９６によつて固定クランプ部材９４に対して移動されて、可動クランプ部材９５と固定クランプ部材９４との間にフィルムＦをクランプすることができる。
【００２０】
以下に詳細に説明するように、包装装置１では、包装材供給装置１０のガイドローラー１４からのフィルムＦの先端を、隣接するフィルムローラ３３間を通し、鋼板ロールＳ付近でフィルムクランプ機構９２によって一時的に保持した状態で、フィルムローラチェーン３２をフィルムローラチェーン駆動装置５０によって、例えば図１において反時計方向に、駆動することによって、フィルムＦをフィルムローラ３３Ａで押しながら鋼板ロールＳの中空部ＨＳを通過させ、これを繰り返すことによって鋼板ロールＳをフィルムＦで包装する。
【００２１】
かかる包装工程においては、フィルムローラ３３が駆動又は移動されることによって、フィルムＦの先端又は固定先端部と、フィルムローラ３３Ａによって押されているフィルムＦの連行部分との間の距離が随時変化することなどが原因となってフィルムＦにたるみが生ずる。そこで、包装装置１は、移動体によって連行される包装材に張力を与えるための張力提供手段、すなわち、包装中、フィルムＦがたるまないようにするためのテンション装置を有する。
【００２２】
テンション装置は、ガイドトラック３１の下方に配置された下方テンション装置７０、７１と、ガイドトラック３１の上方に配置された上方テンション装置７２とを有する。
各下方テンション装置７０、７１は、エアーモータ（図示せず）の出力軸（図示せず）に連結された共用回転駆動シャフトと、該共用回転駆動シャフトに取り付けられた一対のプーリー７３を有する。この共用回転駆動シャフトは一対のブラケット７４によって回転自在に支持され、これらのブラケット７４は、各連結支持プレート３８の側板の下縁の一部に沿って該側板間に延びる底仮に取り付けられている。上記回転駆動シャフトに対応する共用回転従動シャフトが、各ガイドトラック３１の底面に取り付けられた一対のブラケット７５によって回転自在に支持されている。共用回転従動シャフトにもまた一対のプーリー７６が取り付けられられ、これらの各プーリー７６と、これと対向して位置された共用回転駆動シャフトの各プーリー７３とに無端テンションベルト７７が掛け回されている。各無端テンションベルト７７が掛け回された各プーリー７３、７６間には、無端テンションベルト７７をフィルムローラ３３上のフィルムＦに摩擦係合させるように、複数の回転ローラー７８が回転自在に支持される。
【００２３】
上方テンション装置７２は、エアーモータ７９の出力軸（図示せず）に連結された共用回転駆動シャフト８０と、該共用回転駆動シャフト８０に取り付けられた一対のプーリー８１を有する。この共用回転駆動シャフト８０は一対のブラケット８２によって回転自在に支持され、これらのブラケット８２の夫々は、支持部材８３を介して各ガイド支持フレーム４２に固定されている。
【００２４】
上記共用回転駆動シャフト８０に対応する共用回転従動シャフト８４が、一対のブラケット８５によって回転自在に支持され、これらのブラケット８５の夫々は、支持部材８６を介して各ガイド支持フレーム４２に固定される。共用回転従動シャフトにもまた一対のプーリー８７が取り付けられられ、各プーリー８７と、これと対向して配置された共用回転駆動シャフト８０の各プーリー８１とに無端テンションベルト８８が掛け回されている。無端テンションベルト８８が掛け回された各プーリー８１、８７間には、無端テンションベルト８８をフィルムローラ３３上のフィルムＦに摩擦係合させるように、複数の回転ローラー８９が回転自在に支持される。フィルムローラ３３上のフィルムＦと摩擦係合するように位置決めされたこれらの無端テンションベルト８８は、フィルムローラ３３の両端のガイドローラ３７と摩擦係合するように位置決めされた無端駆動ベルト５７間に配置される。
【００２５】
従って、上方テンション装置７２のエアーモータ７９が作動してその出力軸が回転すると、共用回転駆動シャフト８０の各プーリー７３、８１が回転される。各プーリー７３、８１の回転により、これと共用回転従動シャフト８４のプーリー８７とに掛け回された無端テンションベルト８８がフィルムローラチェーン３２の回転方向と反対方向に回り、これにより、フィルムローラ３３上のフィルムＦと摩擦係合している無端テンションベルト８８は、鋼板ロールＳに巻かれるフィルムＦの鋼板ロールＳ上の折り曲げ支点とフィルムローラ３３Ａとの間の距離変化によって生ずるフィルムＦのたるみをとる。これと同じ原理で、下方テンション装置７０、７１が作動し、フィルムＦの固定された先端部とフィルムローラ３３Ａとの間の距離変化などによって生ずるフィルムＦのたるみをとる。
上方テンション装置７２のエアーモータ７９、各下方テンション装置７０、７１のエアーモータ（図示せず）は、夫々、フィルムＦに対して張力を与えるように、すなわち、フィルムローラチェーン３２の回転方向と反対方向に、無端テンションベルト８８、無端テンションベルト７７を回すように、圧縮空気によって常時出力軸を正転させているけれども、図示しないセンサによって各無端テンションベルト７７、８８においてフィルムＦがゆるんでいないことを感知したときには、リリーフ弁（図示せず）を解放して出力軸の強制正転を止め、出力軸をフリーにする。
【００２６】
次に、上記実施形態の動作（作動）を説明する。
先ず始めに、図１に示すように、鋼板ロールＳの中空部ＨＳ内をガイドトラック３１が通って延びるように鋼板ロールＳを配置する。このため、油圧シリンダ機構４４を作動させてガイドトラック半部３９、４０を互いに遠ざけるように移動させて、ガイドトラック半部３９、４０間に鋼板ロールＳを受け入れるための隙間をつくる。次いで、鋼板ロールＳの下部外周を回転自在に支持する一対のターニングロールを備えた台車によって（図示せず）鋼板ロールＳをガイドトラック半部３９、４０間に搬送する。その後、油圧シリンダ機構４４によってガイドトラック半部３９、４０間の隙間をなくすようにガイドトラック半部３９、４０を移動させ、ガイドトラック半部３９、４０同士を係止して、図１に示す状態にする。
【００２７】
次いで、フィルム供給水平シャフト１１のフィルムロールから引っ張り出されてガイドローラ１４から出ているフィルムＦの先端部をフィルムチャックでクランプし、かかるフィルムチャックをフィルムチャック駆動装置によって隣接したフィルムローラ３３間を通してガイドトラック３１の内部空間ＩＳに導入する。次いで、フィルムチャックによって把持されたフィルムＦの先端部を第２ヒートカッター１８のフィルムクランプ機構９２によってクランプし、フィルムチャックによるフィルムＦのクランプを解く。
【００２８】
フィルムクランプ機構９２によるフィルムＦのクランプは、第２昇降油圧シリンダ機構９０を作動させて、フィルムクランプ機構９２をガイドローラ１４からのフィルムＦの高さに移動させる。そして、第２スイング油圧シリンダ機構９３を作動させてフィルムクランプ機構９２を退避位置からクランプ位置に回動し、クランプ駆動用油圧シリンダ機構９６を作動させて可動クランプ部材９５と固定クランプ部材９４との間にフィルムＦの先端部をクランプする。
【００２９】
次いで、フィルムクランプ機構９２を鋼板ロールＳ付近の適所まで移動させる。フィルムクランプ機構９２のこの移動は、油圧シリンダ機構１９を作動させてフィルムクランプ機構９２を支持するブラケット２２をガイド支持フレーム４２のガイドトラックに沿って移動させること、及び、第２昇降油圧シリンダ機構９０を作動させてフィルムクランプ機構９２を昇降させることによって行う。
【００３０】
この状態で、フィルムローラチェーン３２をフィルムローラチェーン駆動装置５０によって例えば図１において反時計方向に駆動させると、間にフィルムＦが通された隣接したフィルムローラ３３のうちの、フィルムローラチェーン３２の移動方向において下流に位置するフィルムローラ３３ＡがフィルムＦを連行して移動し、その結果、包装材供給装置１０からフィルムＦが引き出される。
【００３１】
フィルムローラ３３Ａは、フィルムＦを引っかけた状態で、鋼板ロールＳの中空部ＨＳを通過し、ガイドトラック３１に沿ってほぼ一周される。フィルムローラ３３ＡがフィルムＦを引っかけた状態でガイドトラック３１を一周すると、フィルムローラ３３Ａと、フィルムクランプ機構９２によってクランプされたフィルムＦの先端部との間に延びるフィルム部分、すなわち、包装フィルム部分が、鋼板ロールＳの周壁の一部を包装する（ゲートル巻きする）。他方、フィルムローラ３３Ａとガイドローラ１４との間に延びる残部のフィルム部分、すなわち、堆積フィルム部分は、フィルムローラ３３Ａの下流に位置するフィルムローラ３３上に残る。
【００３２】
フィルムローラ３３Ａがほぼガイドローラ１４の位置からガイドトラック３１に沿ってほぼ一周したところで、フィルムクランプ機構９２によるフィルムＦの先端部のクランプを解き、フィルムクランプ機構９２をクランプ位置から退避位置に回動させる。再び、フィルムローラチェーン３２を駆動させると、開放されたフィルムＦの先端部は、鋼板ロールＳにほぼ一巻きされた包装フィルム部分とフィルムローラ３３Ａとの間に延びるフィルム部分によって鋼板ロールＳに係止される。鋼板ロールＳを支持する台車のターニングロールを回転させてフィルムローラチェーン３２に対して鋼板ロールＳの周壁を変位させながら、引き続き、フィルムローラチェーン３２を駆動させることによって鋼板ロールＳにフィルムＦを巻く。
【００３３】
フィルムローラチェーン３２の駆動によって、包装フィルム部分が鋼板ロールＳの周壁に巻き付くと共に、フィルムローラ３３上に堆積フィルム部分が堆積することになる、すなわち、フィルムローラチェーン３２はそれ自体にも堆積フィルム部分を巻回することになる。そこで、包装フィルム部分によって鋼板ロールＳを所定回数巻いた後（この回数は包装すべき鋼板ロールＳの寸法と、フィルムローラチェーン３２の全長との比率などを関数として変化するものであるが、この実施形態においては、鋼板ロールＳを包装すべきフィルム量の３０％に相当する量のフィルムを巻くのに必要な回数巻くのが好ましい）、第１ヒートカッター１５の油圧シリンダ機構１７により、加熱されたヒーター線１６をガイドローラー１４とガイドトラック３１との間に位置するフィルムＦに押し当ててフィルムＦを切断する。
【００３４】
この状態で、フィルムローラチェーン３２を更に駆動させると、フィルムローラ３３の堆積フィルム部分が鋼板ロールＳに巻回されることになる。フィルムローラ３３から全ての堆積フィルム部分が消費されるのに先立って、ガイドトラック半部３９内において鋼板ロールＳの外周面よりも低い位置でフィルムローラ３３Ａを停止させる。次いで、第２ヒートカッター１８のヒーター線２５及び回転ブラシ２６を油圧シリンダ機構１９及び第１昇降油圧シリンダ機構２３によつて鋼板ロールＳ付近に移動させ、フィルムローラ３３Ａと鋼板ロールＳとの間に延びるフィルムＦをヒーター線２５によって切断し、鋼板ロールＳから延びるフィルムＦの後端部を回転ブラシ２６によって鋼板ロールＳに押し付け、フィルムＦの粘着性により鋼板ロールＳにつける。
【００３５】
本発明は、上述した実施形態に限定されることなく、以下のような種々の変更、変形が可能である。
例えば、上記実施形態では、包装材を連行するための移動体を構成するフィルムローラチェーン３２は、フィルムローラチェーン駆動装置５０によつて駆動されていたけれども、このような移動体又はフィルムローラチェーン３２を自走式のものとすることによってフィルムローラチェーン駆動装置５０を不要としても良い。フィルムローラチェーン３２の自走機構は、例えば、任意のフィルムローラ３３に取り付けられたモータと、ガイドトラック３１内に敷設した給電導体と、前記モータに接続され、給電導体に接触するようになった接触導電体とを有するものであっても良い。移動体はまた、１つのフィルムローラ３３からなっても良い。
【００３６】
また、上記実施形態では、包装材たるフィルムＦのクランプ及び切断を、夫々、フィルムチャック機構、フィルムクランプ機構９２及び第１ヒートカッター１５、第２ヒートカッター１８によって行う構成としていたけれども、上記フィルムＦのクランプ及び切断を手作業によって行うことによって上記機構、装置を省くことができる。
更にまた、上記実施形態で用いられた各種油圧シリンダ機構１７、１９、２３、２８、４４、９０に代えて、エアシリンダや電動アクチュエータなど上記油圧シリンダ機構と同じ働きをする機構を用いることができる。
【００３７】
また、被包装物の大きさ（径）に合わせて包装装置１の芯合わせを行うことができるように、包装装置１は、包装装置１を垂直方向に移動させるための芯合わせ装置を有するのが良い。
【産業上の利用可能性】
【００３８】
以上のとおり、本発明は、環状案内体に沿って移動する移動体とは別個の包装材供給手段によって包装材を供給する包装装置を提供することができる。
【図面の簡単な説明】
【００３９】
【図１】本発明の一実施形態の包装装置を部分的に断面で示す概略正面図である。
【図２】図１に示された包装装置のフィルムローラの概略断面図である。
【図３】図１に示された包装装置のガイドトラック上部におけるフィルムローラの概略断面図である。
【図４】図１に示された包装装置の概略平面図である。
【図５】図１に示された包装装置の第２ヒートカッターを構成するヒーター線等を示す概略側面図である。
【図６】図１に示された包装装置の第２ヒートカッターのフィルムクランプ機構等を示す概略側面図である。
【図１】
0003774626.tif 000002
【図２】
0003774626.tif 000003
【図３】
0003774626.tif 000004
【図４】
0003774626.tif 000005
【図５】
0003774626.tif 000006
【図６】
0003774626.tif 000007